(57)【要約】【課題】意匠の変化に富み、且つ建築板表面の凹部に雨水の流れが集中することによる建築板の汚れが生じにくい建築板を提供する。【解決手段】一つの方向に並んだ複数の領域２を表面に備える。領域２の各々が、領域２が並んだ方向と平行な複数の溝３を備えると共に、溝３の各々の位置及び寸法によって特定される模様４を備える。領域２のうち、いずれの隣り合う二つの領域２においても、模様４が異なっている。【選択図】図１
2015140559.tif 000002
【特許請求の範囲】
【請求項１】
一つの方向に並んだ複数の領域を表面に備える建築板であって、
前記領域の各々が、前記方向と平行な複数の溝を備えると共に、前記溝の各々の位置及び寸法によって特定される模様を備え、
前記領域のうち、いずれの隣り合う二つの領域においても、前記模様が異なっていることを特徴とする建築板。
【請求項２】
一つの方向に並んだ複数の領域を表面に備える建築板であって、
前記領域の各々が、前記方向と平行な複数の溝を備えると共に、前記溝の各々の位置及び寸法によって特定される模様を備え、
前記領域のうち、いずれの隣り合う二つの領域においても、隣り合う二つの領域の境界を視認可能となるよう前記模様が異なっていることを特徴とする建築板。
【請求項３】
前記建築板の表面における、前記溝が形成されていない部分に第二の模様が形成され、
前記複数の領域のうち、いずれの隣り合う二つの領域の境界においても、前記第二の模様に変化が生じていることを特徴とする請求項１又は２に記載の建築板。
【請求項４】
前記第二の模様が網目模様であることを特徴とする請求項３に記載の建築板。
【発明の詳細な説明】
【技術分野】
【０００１】
本発明は、一つの方向に並んだ複数の領域を表面に備える建築板に関するものである。
【背景技術】
【０００２】
従来、建築物に高級感や意匠性を付与するため、各種の建築板が採用されている。
【０００３】
例えば、特許文献１では、木目調を呈するための複数の木目形成凸部を形成してなる原板の表面に、塗料層を設けてなる建築板において、上記各木目形成凸部は、上記木目調の形成方向に直交する直交方向断面において、それぞれ上記建築板の一方端側に位置する一方側壁面よりも、他方端側に位置する他方側壁面が緩やかな緩傾斜状に形成されており、上記一方側壁面は微細凹凸を有する粗面に形成されており、また、上記他方側壁面は略平滑な平滑面に形成されている建築板が開示されている。
【０００４】
また、特許文献２では、凸部と凹部とから成る表面を有する建築板であって、該凸部表側の一部に第１の塗装が施されていて、該凹部表側の一部に第１の塗装と異なる第２の塗装が施されていて、該凸部から凹部にかけての表側に両者にまたがって第１及び第２の塗装と異なる第３の塗装が施されている建築板が開示されている。
【先行技術文献】
【特許文献】
【０００５】
【特許文献１】特開２０００−３３４３４１号公報
【特許文献２】特開２００５−０１６２２６号公報
【発明の概要】
【発明が解決しようとする課題】
【０００６】
しかし、特許文献１の建築板の場合、表面に一つの方向の溝しかないため、意匠の変化に乏しいという問題があった。
【０００７】
また、特許文献２の建築板の場合、直交する２種類の溝が存在するものの、建築板を建築物に設置した際の縦方向に位置する凹部において、雨水の流れが集中してしまい、この凹部が汚れやすいという問題もあった。
【０００８】
本発明は上記の点に鑑みてなされたものであり、意匠の変化に富み、且つ建築板表面の凹部に雨水の流れが集中することによる建築板の汚れが生じにくい建築板を提供することを目的とするものである。
【課題を解決するための手段】
【０００９】
第一の態様に係る建築板は、一つの方向に並んだ複数の領域を表面に備える建築板であって、
前記領域の各々が、前記方向と平行な複数の溝を備えると共に、前記溝の各々の位置及び寸法によって特定される模様を備え、
前記領域のうち、いずれの隣り合う二つの領域においても、前記模様が異なっていることを特徴とする。
【００１０】
第二の態様に係る建築板は、一つの方向に並んだ複数の領域を表面に備える建築板であって、
前記領域の各々が、前記方向と平行な複数の溝を備えると共に、前記溝の各々の位置及び寸法によって特定される模様を備え、
前記領域のうち、いずれの隣り合う二つの領域においても、隣り合う二つの領域の境界を視認可能となるよう前記模様が異なっていることを特徴とする。
【００１１】
第三の態様に係る建築板は、第一又は第二の態様において、前記建築板の表面における、前記溝が形成されていない部分に第二の模様が形成され、
前記複数の領域のうち、いずれの隣り合う二つの領域の境界においても、前記第二の模様に変化が生じていることを特徴とする。
【００１２】
第四の態様に係る建築板は、第三の態様において、前記第二の模様が網目模様であることを特徴とする。
【発明の効果】
【００１３】
本発明の建築板は、いずれの隣り合う領域においても模様が異なっているため、建築板の観察者が、隣り合う領域の間の境界を視認することができる、変化に富んだ意匠を有する。且つ、領域の各々が備える溝と直交する方向と平行な溝が存在しないため、雨水の流れが集中することによる建築板の汚れが生じにくい。
【図面の簡単な説明】
【００１４】
【図１】本発明の一実施形態である建築板の概略の平面図である。
【図２】本発明の一実施形態である建築板の要部における、溝と直交する方向の断面図である。
【図３】本発明の一実施形態である建築板の要部の拡大図である。
【図４】本発明の一実施形態である建築板を２枚並べた正面図である。
【図５】本発明の一実施形態である建築板の写真である。
【発明を実施するための形態】
【００１５】
以下、本発明を実施するための形態を説明する。
【００１６】
本実施形態に係る建築板１は、一つの方向に並んだ複数の領域２を表面に備える。領域２の各々が、領域２が並んだ方向と平行な複数の溝３を備えると共に、溝３の各々の位置及び寸法によって特定される模様４を備える。領域２のうち、いずれの隣り合う二つの領域２においても、模様４が異なっている。
【００１７】
本実施形態に係る建築板１は、いずれの隣り合う領域２においても、模様４が異なっているため、建築板１の観察者が隣り合う領域２の間の境界６を視認することができる、変化に富んだ意匠を有する。且つ、溝３と直交する方向と平行な溝が存在しないため、雨水の流れが集中することによる建築板１の汚れが生じにくい。
【００１８】
本実施形態に係る建築板１は、一つの方向に並んだ複数の領域２を表面に備える。領域２の各々が、領域２が並んだ方向と平行な複数の溝３を備えると共に、溝３の各々の位置及び寸法によって特定される模様４を備える。領域２のうち、いずれの隣り合う二つの領域２においても、隣り合う二つの領域２の境界６を視認可能となるよう模様４が異なっている。
【００１９】
本実施形態に係る建築板１では、建築板１の表面における、溝３が形成されていない部分に第二の模様５が形成され、複数の領域２のうち、いずれの隣り合う二つの領域２の境界６においても、第二の模様５に変化が生じていてもよい。
【００２０】
本実施形態に係る建築板では、第二の模様５が網目模様であってもよい。
【００２１】
以下、本実施形態に係る建築板について、更に詳しく説明する。
【００２２】
図１に示すように、建築板１は表面に複数の領域２を備える。領域２は一つの方向に並んでいる。本実施形態の建築板１は、表面に第一領域２１、第二領域２２、及び第三領域２３が形成されている。
【００２３】
本実施形態では、領域２に複数の溝３が形成されている。溝３の幅、寸法はまちまちであり、溝３間の間隔もまちまちである（図１参照）。本実施形態の溝３は、図２に示すように、底部の幅Ｙよりも開口部の幅Ｘが大きく、底部から開口部に亘って側面が傾斜している。尚、図１、３、４において、溝３の底部をわかりやすくするため、溝３の底部を黒色で表している。
【００２４】
溝３の開口部の幅（図２におけるＸ）は１ｍｍから３０ｍｍの範囲内であることが好ましい。開口部の幅が最も大きな溝３と最も小さな溝３のＸの比は、１：１〜１０：１であることが好ましい。溝３の底部の幅Ｙは０．５ｍｍから２５ｍｍの範囲内であることが好ましい。底部の幅が最も大きな溝３と最も小さな溝３のＹの比は、１：１〜１０：１であることが好ましい。また、溝３の深さ（図２におけるＺ）は１ｍｍから８ｍｍの範囲内であることが好ましい。最も深い溝３と最も浅い溝３のＺの比は、１：１〜５：１であることが好ましい。
【００２５】
また、領域２に形成された溝３の端部が、隣りの領域２にはみ出ていてもよい。つまり、境界６は厳密に直線である必要はなく、隣り合う領域２の間に位置し、隣り合う領域２を分けるものであればよい。
【００２６】
領域２の各々は、模様４を備える。模様４は、複数の溝３の位置及び寸法によって特定される。模様４は、いずれの隣り合う領域２においても異なっている。本実施形態では、第一領域２１、第二領域２２、第三領域２３が、それぞれ模様４ａ、４ｂ、４ｃを備える。模様４ａと模様４ｂは異なっており、模様４ｂと模様４ｃは異なっている（図１参照）。更に、本実施形態では、模様４ａと模様４ｃも異なっている。
【００２７】
本実施形態の建築板１は、寸法及び間隔が異なる溝３が複数形成されている部分を有する（図３のＡの範囲、参照）。溝３の寸法及び溝３の間隔が異なることにより、観察者は隣り合う領域２間に境界６を視認することができる。
【００２８】
また、本実施形態の建築板１は、溝３の隣りに溝が形成されていない部分を有する（図３のＢの範囲、参照）。溝３の隣りに溝が形成されていないことにより、観察者は隣り合う領域２間の境界６を視認することができる。
【００２９】
また、本実施形態の建築板１は、隣り合う溝３の深さが異なっている部分を有する（図３のＤの範囲、参照）。隣り合う溝３の深さが異なることにより、隣り合う溝３の間に段差が生じるため、観察者は境界６を視認することができる。
【００３０】
また、本実施形態の建築板１は、隣り合う溝３が形成されていない部分の幅が異なっている部分を有する（図３のＣの範囲、参照）。隣り合う溝３が形成されていない部分の幅が異なることにより、観察者は境界６を視認することができる。
【００３１】
また、本実施形態の建築板１は、隣り合う溝３が形成されていない部分が溝３と直交する方向にずれている部分を有する（図３のＥの範囲、参照）。隣り合う溝３が形成されていない部分が溝３と直交する方向にずれていることにより、観察者は境界６を視認することができる。
【００３２】
本実施形態では、領域２における溝３が形成されていない部分に、第二の模様５が形成されている。図３に示すように、第二の模様５は、いずれの隣り合う領域２の境界６においても、変化が生じている。本実施形態では、第一領域２１、第二領域２２、第三領域２３における溝３が形成されていない部分に、それぞれ第二の模様５ａ、５ｂ、５ｃを備える。つまり、第一領域２１と第二領域２２との境界６においては、第二の模様５ａから第二の模様５ｂへと変化している。また、第二領域２２と第三領域２３との境界６においては、第二の模様５ｂから第二の模様５ｃへと変化している。
【００３３】
本実施形態では、第二の模様５が網目模様である。ここでいう網目模様とは、図３に示すように、溝３の深さよりも小さな、複数の凹部が等間隔、且つ連続して形成された格子状の模様のことである。
【００３４】
本実施形態では、図３に示すように、第二の模様５ａの網目模様と第二の模様５ｂの網目模様は連続していない。また、第二の模様５ｂの網目模様と第二の模様５ｃの網目模様は連続していない。本実施形態では、隣り合う領域２に形成された網目模様が、それぞれ溝３と直交する方向にずれているため、隣り合う領域２の各々に形成された網目模様が連続していない。
【００３５】
本実施形態の建築板１が上記の構成を備えるため、以下の効果を奏する。
【００３６】
第一領域２１が模様４ａを備え、第二領域２２が模様４ａと異なる模様４ｂを備え、第三領域２３が模様４ｂと異なる模様４ｃを備えるため、建築板１は、観察者が第一領域２１と第二領域２２との間、及び第二領域２２と第三領域２３との間の境界６を視認することができる、変化に富んだ意匠を有する。
【００３７】
建築板１には溝３と直交する方向に平行な溝が存在しないため、建築物に建築板１を設置しても雨水が溝３と直交する方向に流れにくく、雨水の流れが集中することによる建築板１の汚れが生じにくい。
【００３８】
第二の模様５が、第一領域２１と第二領域２２との境界６、及び第二領域２２と第三領域２３との境界６において変化が生じているため、観察者は第一領域２１と第二領域２２との間、及び第二領域２２と第三領域２３との間の境界６を視認しやすい。このため、建築板１の観察者は、意匠の変化を強く認識することができる。
【００３９】
第二の模様５が網目模様であることにより、境界６において第二の模様５に変化が生じていることがより明確となり、観察者は第一領域２１と第二領域２２との間、及び第二領域２２と第三領域２３との間の境界６をより視認しやすい。このため、建築板１観察者は、意匠の変化をより強く認識することができる。
【００４０】
また、本実施形態の建築板１は、複数の領域２のうち、その並び方向の一方の端に位置する領域２（本実施形態の第一領域２１）の模様４（本実施形態の模様４ａ）と、他方の端に位置する領域２（本実施形態の第三領域２３）の模様４（本実施形態の模様４ｂ）とが異なっている。これにより、図４に示すように複数の建築板１を並べて設置する場合、隣り合う建築板１間の模様４も異なっている。このため、建築板１内における隣り合う領域２間の境界６と、隣り合う建築板１間の境界との区別がつきにくくなる。
【００４１】
また、本実施形態では隣り合う領域２間の第二の模様５が、溝３と直交する方向にずれている。このため、図４に示すように、複数の建築板１を並べて設置する場合に、隣り合う建築板１が溝３と直交する方向にずれていたとしても、隣り合う領域２間の第二の模様５のずれと、隣り合う建築板１間のずれとの区別がつきにくく、隣う合う建築板１間のずれが目立ちにくい。
【００４２】
参考として、本実施形態に係る建築板１の写真を図５に示す。
【００４３】
尚、本実施形態の建築板１は、第一領域２１、第二領域２２、及び第三領域２３を備えているがこれに限られない。建築板１は、例えば、二つの領域２を備えていてもよく、４つ以上の領域を備えていてもよい。
【００４４】
本実施形態では、領域２の各々に異なる模様４が形成されているが、これに限られるものではない。例えば、２つの異なる模様４が、隣り合う領域２に交互に繰り返し形成されていてもよく、３つの異なる模様がそれぞれ繰り返し形成されていてもよい。少なくとも、複数の領域２のうち、いずれの隣り合う二つの領域２においても、模様４が異なっていればよい。
【００４５】
本実施形態では、溝３の幅、寸法がまちまちであり、溝３間の間隔もまちまちであるが、これに限られるものではない。例えば、同一の寸法の溝３が、まちまちの間隔で形成されていてもよい。また、同一寸法の溝３が同一間隔で形成され、隣り合う領域２の溝３が、溝３と直交する方向にずれていてもよい。
【００４６】
本発明の他の実施形態では、第二の模様５が網目模様でなくてもよい。例えば、第二の模様５が、ストライプ模様、梨地模様、砂模様、サンドブラスト模様などの柄模様であってもよく、平滑なフラット状であってもよく、インクジェット塗装等による印刷模様であってもよい。
【００４７】
以下、本実施形態の建築板１の製造方法について説明する。尚、建築板１の製造方法はこれに限られるものではない。
【００４８】
本実施形態では、まず半硬化状態のセメント系の基板に対して、凹凸を有する金属製の型をプレスすることにより、基板に溝３及び第二の模様５を形成する。そして、溝３及び第二の模様５を形成した基板を養生硬化させることで、建築板１が形成される。
【００４９】
また、建築板１の別の製造方法として、例えば、セメント硬化物で形成される窯業系基板、合板などの木質系基板、ステンレス鋼板などの金属系基板を切削加工することにより、溝３及び第二の模様５を形成してもよい。
【００５０】
また、溝３を形成した基板に対して、例えば、インクジェット塗装やスプレー塗装により、第二の模様５を形成してもよい。
【００５１】
また、第二の模様５を予め形成した基板に対して、切削加工により、溝３を形成してもよい。
【符号の説明】
【００５２】
１    建築板
２    領域
３    溝
４    模様
５    第二の模様
６    境界
【図１】
2015140559.tif 000003
【図２】
2015140559.tif 000004
【図３】
2015140559.tif 000005
【図４】
2015140559.tif 000006
【図５】
2015140559.tif 000007